(57)【特許請求の範囲】
【請求項１】
ロール状媒体を保持する媒体支持部を有する印刷装置であって、
前記媒体支持部は、
ガイドレールの軸方向に沿って移動し前記ガイドレールに固定される基台と、
前記基台に支持され前記軸方向に沿って移動することによって前記ロール状媒体を固定させる主軸と、
前記基台に設けられ２つに分割可能な割りナット部と、
前記主軸を前記軸方向に移動させるボルトと、
前記ボルトを軸回りに回動させるハンドルと、
前記割りナット部を開閉させる開閉機構と、
前記割りナット部と前記ボルトとの螺合が解消された時に、前記ボルトを初期位置に戻す弾性部材と、
を備え、
前記割りナット部は、閉状態において前記ボルトと螺合し前記ハンドルにより回動された前記ボルトを前記軸方向に移動させ、開状態において前記ボルトを開放すること、を特徴とする印刷装置。
【請求項２】
前記開閉機構は、
前記割りナット部に接続され前記割りナット部を開閉させる開閉コロと、
前記開閉コロと係合し前記軸方向に移動することで前記開閉コロを開閉させるアームと、
前記アームを前記軸方向に移動させる弾性部材と、
を有していること、を特徴とする請求項１に記載の印刷装置。
【請求項３】
前記開閉機構は、
前記割りナット部を閉状態に保つ弾性部材と、
前記割りナット部を開状態にさせるボタンと、
を有していること、を特徴とする請求項１に記載の印刷装置。
【発明の詳細な説明】
【技術分野】
【０００１】
本発明は、印刷装置に関する。
【背景技術】
【０００２】
従来から、記録媒体をロール状に巻き重ねたロール状媒体で供給し、印刷された記録媒体をロール状に巻き取って回収する所謂ロール・ツー・ロール方式で構成された大型の印刷装置が知られている。このような印刷装置は、ロール状媒体を両側から支持する媒体支持部を備えている。例えば、特許文献１には、ユーザーが一方側のロール媒体ホルダー装置（媒体支持部）に設けられているハンドルを回動させることにより、ロール状媒体を一方側から他方側に押圧してロール状媒体を固定させる印刷装置が開示されている。
【先行技術文献】
【特許文献】
【０００３】
【特許文献１】特開２０１３−３２２０６号公報
【発明の概要】
【発明が解決しようとする課題】
【０００４】
しかしながら、特許文献１の印刷装置では、ロール状媒体を交換する際、ユーザーがハンドルを装着時と逆方向に回動させて媒体支持部を初期状態に戻す必要があった。即ち、従来の印刷装置はロール状媒体を交換する際、ユーザーはロール状媒体の交換に労力を要していた。
【課題を解決するための手段】
【０００５】
本発明は、上述の課題の少なくとも一部を解決するためになされたものであり、以下の形態又は適用例として実現することが可能である。
【０００６】
［適用例１］本適用例に係る印刷装置は、ロール状媒体を保持する媒体支持部を有する印刷装置であって、前記媒体支持部は、ガイドレールの軸方向に沿って移動し前記ガイドレールに固定される基台と、前記基台に支持され前記軸方向に沿って移動することによって前記ロール状媒体を固定させる主軸と、前記基台に設けられ２つに分割可能な割りナット部と、前記主軸を前記軸方向に移動させるボルトと、前記ボルトを軸回りに回動させるハンドルと、前記割りナット部を開閉させる開閉機構と、を備え、前記割りナット部は、閉状態において前記ボルトと螺合し前記ハンドルにより回動された前記ボルトを前記軸方向に移動させ、開状態において前記ボルトを開放すること、を特徴とする。
【０００７】
本適用例によれば、印刷装置の媒体支持部は、割りナット部と、割りナット部を開閉させる開閉機構を備えている。割りナット部は閉状態においてボルトと螺合し、ハンドルにより回動されたボルトを軸方向に沿って移動させる。更に、ボルトが主軸を軸方向に移動させることにより、ロール状媒体を媒体支持部に固定させる。また、割りナット部は開状態において螺合していたボルトを開放する。これにより、基台に接続されている割りナット部に対して、ボルト及びボルトに設けられているハンドルを軸方向に自由に移動させることができる。換言すると、ロール状媒体の交換時において、開閉機構により割りナット部を開状態にすることにより、ユーザーはハンドルを回動させることなく媒体支持部を初期状態に戻すことが可能となるので、ロール状媒体の交換作業の効率を向上することができる。したがって、ロール状媒体を交換する際の作業効率を向上させた印刷装置を提供することができる。
【０００８】
［適用例２］上記適用例に記載の印刷装置は、前記割りナット部と前記ボルトとの螺合が解消された時に、前記ボルトを初期位置に戻す弾性部材を備えていること、が好ましい。
【０００９】
本適用例によれば、媒体支持部は、割りナット部とボルトとの螺合が解消された際に、弾性部材の弾性力によってボルト及びボルトに接続されたハンドルが初期位置に戻るので、ロール状媒体の交換作業の効率を更に向上することができる。
【００１０】
［適用例３］上記適用例に記載の印刷装置において、前記開閉機構は、前記割りナット部に接続され前記割りナット部を開閉させる開閉コロと、前記開閉コロと係合し前記軸方向に移動することで前記開閉コロを開閉させるアームと、前記アームを前記軸方向に移動させる弾性部材と、を有していること、が好ましい。
【００１１】
本適用例によれば、開閉機構は、割りナット部を開閉させる開閉コロと係合するアームを軸方向に移動させる弾性部材を備えている。ロール状媒体の固定が解除された際に弾性部材の弾性力によってアームを軸方向に移動させることにより、開閉コロを介して割りナット部を開状態にさせることができる。
【００１２】
［適用例４］上記適用例に記載の印刷装置において、前記開閉機構は、前記割りナット部を閉状態に保つ弾性部材と、前記割りナット部を開状態にさせるボタンと、を有していること、が好ましい。
【００１３】
本適用例によれば、開閉機構は、割りナット部を閉状態に保つ弾性部材と、割りナット部を開状態にさせるボタンとの少ない部品で構成されているので、割りナット部を開閉させる開閉機構を低いコストで実現することができる。
【図面の簡単な説明】
【００１４】
【図１】実施形態に係る印刷装置の概略構成を示す側断面図。
【図２】印刷装置の概略構成を示す背面図。
【図３】給送部を示す斜視図。
【図４】給送部を拡大して示す側面図。
【図５】給送部を拡大して示す側面図。
【図６】図５における割りナット部を拡大して示す側面図。
【図７】図５における開閉機構を拡大して示す平面図。
【図８】給送部を拡大して示す側面図。
【図９】図８における割りナット部を拡大して示す側面図。
【図１０】図８における開閉機構を拡大して示す平面図。
【図１１】給送部を拡大して示す側面図。
【図１２】給送部を拡大して示す側面図。
【図１３】変形例に係る割りナット部を拡大して示す側面図。
【発明を実施するための形態】
【００１５】
以下、本発明の実施形態について、図面を参照して説明する。なお、以下の各図においては、各部材等を認識可能な程度の大きさにするため、各部材等の尺度を実際とは異ならせて示している。
また、図１から図１３では、説明の便宜上、互いに直交する三軸として、Ｘ軸、Ｙ軸及びＺ軸を図示しており、軸方向を図示した矢印の先端側を「＋側」、基端側を「−側」としている。Ｘ軸に平行な方向を「Ｘ軸方向」、Ｙ軸に平行な方向を「Ｙ軸方向」、Ｚ軸に平行な方向を「Ｚ軸方向」という。
【００１６】
（実施形態）
まず、印刷装置の構成について説明する。印刷装置は、例えば、インクジェット式プリンターである。本実施形態では、比較的大型のメディア（媒体）を扱うラージフォーマットプリンター（ＬＦＰ）を印刷装置の構成例として説明する。
【００１７】
図１は、実施形態に係る印刷装置の概略構成を示す側断面図である。図２は、印刷装置の概略構成を示す背面図である。図１及び図２に示すように、印刷装置１は、印刷装置１を移動させるキャスター１５が下端に取り付けられた一対の脚部１７、脚部１７上に組み付けられた記録部筐体１９などを備えている。また、印刷装置１は、ロール状に巻き重ねたロール状媒体Ｒから記録媒体Ｓを給送する給送部２６、記録媒体Ｓに画像などを記録する記録部２８、記録媒体Ｓを巻き取る巻取部３７などを備えている。なお、本実施形態においては、重力方向に沿う上下方向をＺ軸とする。Ｚ軸と交差（本実施形態では直交）するロール状媒体Ｒの軸線方向（幅方向）をＸ軸とする。また、Ｚ軸及びＸ軸の双方と交差（本実施形態では直交）する方向（前後方向）をＹ軸とし、＋Ｙ軸側を「正面」、−Ｙ軸側を「背面」とする。
【００１８】
給送部２６は、ロール状媒体Ｒから記録媒体Ｓを巻き解いて搬送方向Ｑへ送り出す。詳しくは、給送部２６は、印刷装置１の背面側（−Ｙ軸側）に設けられ、保持部３５を介して脚部１７に支持さている。給送部２６は、ロール状媒体Ｒを支持する給送側ロールホルダーである媒体支持部としての第１ホルダー部３を有している。
【００１９】
第１ホルダー部３は、向い合わせで一対配設されロール状媒体Ｒの両端部を回動可能に保持している。第１ホルダー部３は、ロール状媒体Ｒのロール芯１１の芯口１２に嵌る嵌合部１３を有している。嵌合部１３は、芯口１２に嵌り易いように略円錐台形状をなしている。嵌合部１３は、回動自在な構成でも、図示しないモーターの動力によって駆動する構成であってもよい。回動自在な構成の場合は、記録部筐体１９の内部において、記録部２８の上流側に設けられ記録媒体Ｓを挟持するローラー対２９の駆動によって記録媒体Ｓが搬送方向Ｑの下流側に搬送されることにより、ロール状媒体Ｒから記録媒体Ｓが巻き解かれる。なお、ローラー対は、記録部２８の下流側や、記録部２８の両側に設けられた構成であってもよいし、ローラー対が、記録部筐体１９の外部に設けられた構成であってもよい。
【００２０】
一対の第１ホルダー部３のうちの少なくとも一方の第１ホルダー部３は、Ｘ軸方向に延設されているガイドレール７の軸方向に沿って移動でき、その取り付け位置を変更できるようになっている。ガイドレール７は、Ｘ軸方向に沿って並行する管状の第１管部材７ａ、第２管部材７ｂで構成され、その両端が保持部３５に支持されている。また、ガイドレール７は、後述する仮置き台５を兼ねている。
【００２１】
第１ホルダー部３の下方には、仮置き部としての仮置き台５と、媒体昇降部２とが設けられている。仮置き台５は、ロール状媒体Ｒを第１ホルダー部３に取り付ける前に仮に置くための台である。一例として、仮置き台５は、Ｘ軸方向に延設された二本の第１管部材７ａ、第２管部材７ｂによって構成されている。
【００２２】
媒体昇降部２は、所謂昇降装置であり、質量の大きいロール状媒体Ｒを仮置き台５上からロール状媒体Ｒの芯口１２と第１ホルダー部３の嵌合部１３との高さが略一致する位置まで上昇させる。これにより、ユーザーは、ロール状媒体Ｒを容易に第１ホルダー部３に保持させることができる。詳しくは、媒体昇降部２は、二本の第１管部材７ａ、第２管部材７ｂに対してＸ軸方向に沿って摺動可能な基体部８と、操作レバー６と、昇降部１６と、を備えている。操作レバー６を一方向へ回動することにより、昇降部１６は上昇しロール状媒体Ｒを持ち上げることができる。また、操作レバー６を一方向と反対の他方向へ回動することにより、昇降部１６は下降しロール状媒体Ｒを下げることができる。媒体昇降部２は、梃子の原理に基づいて構成されており、質量の大きいロール状媒体Ｒを小さな力で昇降させることができる。
【００２３】
記録部２８は、記録部筐体１９の内部に設けられている。記録部２８は、Ｘ軸方向に延設されたキャリッジガイド軸２１と、キャリッジ２３と、記録ヘッド２５と、媒体支持部２７とを有している。キャリッジ２３は、キャリッジガイド軸２１にガイドされながら記録媒体Ｓの幅方向（Ｘ軸方向）に往復移動可能に設けられている。記録ヘッド２５は、媒体支持部２７と対向するようにキャリッジ２３に搭載され、往復移動しながら液体としてのインクなどを記録媒体Ｓに向かって吐出する。これにより、記録媒体Ｓに画像などが記録される。媒体支持部２７は、記録媒体Ｓを支持し、記録媒体Ｓと記録ヘッド２５との間の距離を所定の距離に保っている。なお、本実施形態では、記録ヘッド２５として、往復移動するキャリッジ２３に搭載され記録媒体Ｓの幅方向（Ｘ軸方向）に移動しながらインクを吐出するシリアルヘッド式を例示したが、記録媒体Ｓの幅方向（Ｘ軸方向）に延在し固定して配列されたラインヘッド式であってもよい。
【００２４】
記録媒体Ｓの搬送方向Ｑにおいて、記録部筐体１９の上流側には、プレヒーター３１が設けられている。記録媒体Ｓに対して記録を実行する前の段階で、予め記録媒体Ｓを温めることにより、記録を実行した際に、記録媒体Ｓに着弾したインクを乾燥しやすくさせることができる。また、記録部筐体１９の下流側にはアフターヒーター３３が設けられている。これにより、記録媒体Ｓに着弾したインクを記録部２８から巻取部３７までの間で乾燥させることができる。
【００２５】
巻取部３７は、記録媒体Ｓをロール状に巻き取りロール状媒体Ｒとして保持する。詳しくは、巻取部３７は、印刷装置１の正面側（＋Ｙ軸側）に設けられ、保持部２４を介して脚部１７に支持されている。巻取部３７は、巻き取り側ロールホルダーである媒体支持部としての第２ホルダー部４０を有している。第２ホルダー部４０は、向い合わせで一対配設されている。一対の第２ホルダー部４０のうちの少なくとも一方の第２ホルダー部４０は、Ｘ軸方向に延設されているガイドレール３９の軸方向に沿って移動でき、その取り付け位置を変更できるようになっている。ガイドレール３９は、Ｘ軸方向に並行する管状の第３管部材３９ａ、第４管部材３９ｂで構成されている。一対の第２ホルダー部４０のいずれか一方には、図示しないモーターが備えられ、モーターが駆動されることにより、記録媒体Ｓがロール状に巻き取られる。
【００２６】
図３は、給送部を示す斜視図である。次に、図３を参照して、第１ホルダー部３をガイドレール７に固定する構造について説明する。なお、第２ホルダー部４０をガイドレール３９に固定する構造は、第１ホルダー部３をガイドレール７に固定する構造と同じであるので、その説明は省略する。
図３に示すように、媒体支持部としての第１ホルダー部３は、ガイドレール７の軸方向（Ｘ軸方向）に沿って移動し、ガイドレール７に固定される基台４を備えている。詳しくは、基台４は、第１ホルダー部３のフレームをなし、ガイドレール７に対して第１ホルダー部３全体を移動可能にさせるものである。基台４の下部（−Ｚ軸側）には、第１、第２管部材７ａ，７ｂの形状に倣ってＸ軸方向に貫く貫通穴（図示せず）が設けられ、第１ホルダー部３は、第１、第２管部材７ａ，７ｂ上に立設されている。
【００２７】
また、基台４には、Ｙ軸方向に向かって第１管部材７ａに対応する貫通穴と連通する貫通孔（図示せず）が設けられ、貫通孔の内壁には雌ねじが設けられている。基台４は、雌ねじと螺合し摘み部３６を備えた雄ねじを備えている。摘み部３６を回動し、雄ねじの先端と第１管部材７ａとを当接させることにより、第１ホルダー部３はガイドレール７に固定される。また、摘み部３６を回動し、雄ねじの先端と第１管部材７ａ又は第２管部材７ｂとを離間させることにより、第１ホルダー部３はガイドレール７に対して移動（摺動）可能にされる。これにより、第１ホルダー部３は、幅寸法（Ｘ軸方向の寸法）の異なるロール状媒体Ｒを交換可能に保持することができる。なお、雄ねじの先端と第１管部材７ａ又は第２管部材７ｂとは、間接部材を介して当接させてもよい。
【００２８】
次に、本実施形態の第１ホルダー部３の内部構成及びロール状媒体Ｒの着脱について説明する。
図４及び図５は、給送部を拡大して示す側面図である。図６は、図５における割りナット部を拡大して示す側面図である。図７は、図５における開閉機構を拡大して示す平面図である。なお、図４及び図５に示す給送部は、印刷装置１の背面側から見た図であり、図２の紙面において右側（−Ｘ軸側）に位置する一方の第１ホルダー部３の周囲を拡大表示している。また、図４及び図５に示す第１ホルダー部３は、その内部構成を説明するため断面図で示している。また、図６は、−Ｘ軸側から見た割りナット部を図示している。また、図７は、＋Ｚ軸側から見た開閉機構を図示している。また、以下の説明では、−Ｘ軸側に位置する第１ホルダー部を「一方」、＋Ｘ軸側に位置する第１ホルダーを「他方」という。
【００２９】
図４は、給送部２６の仮置き台５にロール状媒体Ｒが仮置きされた状態を示している。ロール状媒体Ｒの他端側の芯口１２には、図４に示す一方の第１ホルダー部３と一対をなす他方の第１ホルダー部３の嵌合部１３が嵌め込まれる。その後、一方の第１ホルダー部３の嵌合部１３にロール状媒体Ｒの一端側の芯口１２を嵌め込むためにロール状媒体Ｒが上昇させられる。ユーザーが操作レバー６を＋Ｚ軸側方向に引き上げることによって、ロール状媒体Ｒは芯口１２と嵌合部１３との高さが略一致する位置に上昇される。図５は、この状態を示している。
【００３０】
ここで、第１ホルダー部３の内部構成について説明する。図４及び図５に示すように、一対の第１ホルダー部３のうちの少なくとも一方には、ロール状媒体Ｒに側圧を加える側圧機構５０が設けられている。側圧機構５０を有する第１ホルダー部３は、基台４に支持されガイドレールの軸方向（Ｘ軸方向）に沿って移動することによってロール状媒体Ｒを固定させる主軸４１を備えている。詳しくは、主軸４１は、Ｘ軸方向に沿って延在する円柱形状をなし、基台４に対して摺動可能に支持されている。主軸４１の＋Ｘ軸側の先端部には、ロール状媒体Ｒのロール芯１１に嵌合する嵌合部１３が主軸４１に対して摺動可能に設けられている。また、嵌合部１３と基台４との間の主軸４１には、主軸４１と共に移動するバネ受け部材４６が設けられている。そして、嵌合部１３とバネ受け部材４６との間の主軸４１回りには、弾性部材としてのコイルバネ（以下、嵌合バネ４７という）が備えられている。主軸４１と共にバネ受け部材４６が＋Ｘ軸方向に移動されると、嵌合バネ４７が圧縮され、嵌合部１３には＋Ｘ軸方向の力が加わる。
【００３１】
また、第１ホルダー部３は、主軸４１を軸方向に移動させるボルト４２と、ボルト４２を軸回りに回動させるハンドル４５と、を備えている。ボルト４２は、Ｘ軸方向に沿って延在する円柱形状をなし、ボルト４２の＋Ｘ軸側の先端部には雄ねじ部４３が設けられ、ボルト４２の基端部にはボルト４２をＸ軸回りに回動させるハンドル４５が設けられている。ボルト４２は、保持部４ａを介して基台４に支持されている。また、主軸４１とボルト４２とは、互いの中心軸が略一致するように設けられている。雄ねじ部４３が、基台４に設けられている後述する割りナット部５４と螺合し、ボルト４２の先端と主軸４１の基端とが当接された状態において、ボルト４２が＋Ｘ軸方向に移動するようにハンドル４５を一方に回動させることにより、主軸４１を＋Ｘ軸方向に移動させることができる。
【００３２】
また、第１ホルダー部３は、基台４に設けられ２つに分割可能な割りナット部５４を備えている。図６に示すように、割りナット部５４は、先端同士が噛み合う一対のステー５４ａ，５４ｂが固定軸５５で結合され、先端部が開閉できる構造をしており、各々のステー５４ａ，５４ｂの先端側（−Ｚ軸側）に２分割されたナット片５４ｃ，５４ｄが設けられている。割りナット部５４は、一対のステー５４ａ，５４ｂの他端側（＋Ｚ軸側）が閉じられ、先端側に設けられたナット片５４ｃ，５４ｄが合わさった時（閉状態）、内周に雌ねじが形成された１つのナットとして機能する。このようなナットを含む構成を割りナット部５４と称する。割りナット部５４は、固定軸５５で保持部４ａを介して基台４に固定されている。割りナット部５４は、閉状態においてボルト４２の雄ねじ部４３と螺合しハンドル４５により回動されたボルト４２を軸方向（＋Ｘ軸方向）に移動させ、開状態においてボルト４２の雄ねじ部４３を開放する。図６に示す割りナット部５４は、開状態を表している。
【００３３】
また、第１ホルダー部３は、割りナット部５４を開閉させる開閉機構６０を備えている。さらに、開閉機構６０は、割りナット部５４に接続され割りナット部５４を開閉させる開閉コロ５２ａ，５２ｂと、開閉コロ５２ａ，５２ｂと係合し軸方向（Ｘ軸方向）に移動することで開閉コロ５２ａ，５２ｂを開閉させるアーム５１と、を有している。図６に示すように、開閉コロ５２ａ，５２ｂは、Ｚ軸方向に底面及び上面を有する円筒形状をなしている。先端にナット片５４ｃを備えたステー５４ａの他端には、開閉コロ５２ａが設けられ、先端にナット片５４ｄを備えたステー５４ｂの他端には、開閉コロ５２ｂが設けられている。開閉コロ５２ａと開閉コロ５２ｂとは、Ｙ軸方向に沿って並んでいる。
【００３４】
図４及び図５に示すように、アーム５１は、Ｚ軸方向に沿って延在し主軸４１に対してＸ軸方向に摺動可能な柱部５１ａと、柱部５１ａの下端と嵌合部１３とを接続する梁部５１ｂと、柱部５１ａの上端から−Ｘ軸方向に延出している延出部５１ｃとで構成されている。図７に示すように、延出部５１ｃの先端には、Ｙ軸方向に並ぶ開閉コロ５２ａ，５２ｂと係合する貫通溝５３が形成されている。貫通溝５３は、−Ｘ軸方向に向かって開く略Ｙ字形状をなしている。Ｙ字形状の貫通溝５３には、Ｙ字形状の溝に沿って摺動可能な開閉コロ５２ａ，５２ｂが係合されている。
【００３５】
例えば、アーム５１が開閉コロ５２ａ，５２ｂに対して−Ｘ軸方向に相対移動すると、開閉コロ５２ａ，５２ｂは貫通溝５３の溝に沿ってＹ字に開いた側（−Ｘ軸側）からＹ字に閉じた側（＋Ｘ軸側）に移動する。これにより、開閉コロ５２ａと開閉コロ５２ｂとの間隔が狭くなり閉状態（図１０参照）になると、割りナット部５４は閉状態となりボルト４２の雄ねじ部４３と螺合する。逆に、アーム５１が開閉コロ５２ａ，５２ｂに対して＋Ｘ軸方向に相対移動すると、開閉コロ５２ａ，５２ｂは貫通溝５３の溝に沿ってＹ字に閉じた側（＋Ｘ軸側）からＹ字に開いた側（−Ｘ軸側）に移動する。これにより、開閉コロ５２ａと開閉コロ５２ｂとの間隔が広くなり開状態になると、割りナット部５４は開状態となりボルト４２の雄ねじ部４３との螺合を解消する。
【００３６】
また、開閉機構６０は、アーム５１をＸ軸方向に移動させる弾性部材を有している。図４及び図５に示すように、アーム５１の柱部５１ａと基台４との間の主軸４１回りには、弾性部材としてのコイルバネ（以下、アームバネ５６という）が備えられている。本実施形態では、柱部５１ａの−Ｘ軸側の側壁と、基台４の−Ｘ軸側の内壁との間にアームバネ５６が設けられている。アームバネ５６が圧縮状態の場合、アームバネ５６は基台４に対してアーム５１を＋Ｘ軸方向に相対移動させる。
【００３７】
ロール状媒体Ｒの着脱について説明を続ける。図８は、給送部を拡大して示す側面図である。図９は、図８における割りナット部を拡大して示す側面図である。図１０は、図８における開閉機構を拡大して示す平面図である。なお、図８に示す給送部は、一方の第１ホルダー部の周囲を拡大表示している。また、図８に示す第１ホルダー部は、その内部構成を説明するため断面図で示している。また、図９は、−Ｘ軸側から見た割りナット部を図示している。また、図１０は、＋Ｚ軸側から見た開閉機構を図示している。
【００３８】
図８は、第１ホルダー部３がロール状媒体Ｒに軽く嵌め込まれた状態を示している。ユーザーは、図５に示した状態から第１ホルダー部３をロール状媒体Ｒ側に摺動（移動）させ、第１ホルダー部３の嵌合部１３をロール状媒体Ｒの芯口１２に軽く嵌め込んだ状態で、摘み部３６を回動させ第１ホルダー部３をガイドレール７に固定させる。
【００３９】
詳しくは、ユーザーが、基台４を持って第１ホルダー部３をロール状媒体Ｒ側（＋Ｘ軸側）に移動させていくと、嵌合部１３が芯口１２に当接して嵌合部１３及び嵌合部１３に接続されているアーム５１の＋Ｘ軸方向への移動が止まる。さらにユーザーが基台４を＋Ｘ軸方向に移動させると、基台４及び基台４に接続されている割りナット部５４、開閉コロ５２ａ，５２ｂ、ボルト４２、ハンドル４５が、嵌合部１３及びアーム５１に対して＋Ｘ軸方向に移動する。これにより、図９及び図１０に示すように、開閉コロ５２ａ，５２ｂがＹ字形状の貫通溝５３の溝に沿ってＹ字に開いた側（−Ｘ軸側）からＹ字に閉じた側（＋Ｘ軸側）に移動することで開閉コロ５２ａ，５２ｂ及び割りナット部５４が閉状態になり、割りナット部５４（ナット片５４ｃ，５４ｄ）がボルト４２の雄ねじ部４３と螺合する。この状態で第１ホルダー部３がガイドレール７に固定される。この時、アーム５１と基台４との間に設けられたアームバネ５６が圧縮され、アーム５１は基台４に対して＋Ｘ軸方向への押圧力が働いた状態で固定される。
【００４０】
図１１は、給送部を拡大して示す側面図である。なお、図１１に示す給送部は、一方の第１ホルダー部の周囲を拡大表示している。また、図１１に示す第１ホルダー部は、その内部構成を説明するため断面図で示している。
【００４１】
図１１は、第１ホルダー部３がロール状媒体Ｒに側圧を加えて固定した状態を示している。ユーザーは、図８の状態からボルト４２が＋Ｘ軸方向に移動する方向にハンドル４５を回動させる。ボルト４２によって主軸４１が＋Ｘ軸方向に押されると、主軸４１は基台４及び嵌合部１３に対して摺動し、バネ受け部材４６と共に＋Ｘ軸側に移動する。これにより、嵌合部１３とバネ受け部材４６との間に設けられている嵌合バネ４７が圧縮されることでロール状媒体Ｒには嵌合部１３を介して＋Ｘ軸方向への側圧Ｆが加わり、ロール状媒体Ｒが一対の第１ホルダー部３の間に固定される。
【００４２】
図１２は、給送部を拡大して示す側面図である。なお、図１２に示す給送部は、一方の第１ホルダー部の周囲を拡大表示している。また、図１２に示す第１ホルダー部は、その内部構成を説明するため断面図で示している。
【００４３】
図１２は、ロール状媒体Ｒへの側圧が解除された状態を示している。ユーザーは、図１１の状態から、摘み部３６を回動させガイドレール７に対して第１ホルダー部３を摺動可能にする。これにより、圧縮されていた嵌合バネ４７の伸長により、バネ受け部材４６と共に主軸４１が嵌合部１３に対して−Ｘ軸方向に移動する。そして、ボルト４２が主軸４１により−Ｘ軸方向に押し出されることによって、基台４が−Ｘ軸方向に移動しロール状媒体Ｒへの側圧が解除される。さらに、圧縮されていたアームバネ５６の伸長により、アーム５１が基台４に対して＋Ｘ軸方向に相対移動する。この際、開閉コロ５２ａ，５２ｂがＹ字形状の貫通溝５３の溝に沿ってＹ字に閉じた側（＋Ｘ軸側）からＹ字に開いた側（−Ｘ軸側）に移動することで開閉コロ５２ａ，５２ｂ及び割りナット部５４が開状態になり、割りナット部５４とボルト４２の雄ねじ部４３との螺合が解消される（図６，図７参照）。これにより、ボルト４２（ハンドル４５）は、基台４に対してＸ軸方向に沿って自由に移動可能となる。ユーザーはハンドル４５を回動することなくボルト４２を所定の位置（ロール状媒体Ｒを取り付けるための初期位置：図５参照）に戻すことが可能となるので、ロール状媒体Ｒの交換作業の効率を向上することができる。
【００４４】
さらに、保持部４ａとハンドル４５との間のボルト４２の軸回りには、割りナット部５４とボルト４２の雄ねじ部４３との螺合が解消された時に、ボルト４２を所定の位置に戻す弾性部材としてのコイルバネ（以下、ハンドルバネ４４という）が備えられている。詳しくは、ハンドルバネ４４は、第１ホルダー部３がロール状媒体Ｒに軽く嵌め込まれた状態（図８参照）から、ユーザーがハンドル４５を回動させてボルト４２を＋Ｘ軸側に移動させてロール状媒体Ｒに側圧を加える際に圧縮される（図１１参照）。割りナット部５４とボルト４２の雄ねじ部４３との螺合が解消された時、ハンドルバネ４４が伸長して、ボルト４２と共にハンドル４５が保持部４ａに対して−Ｘ軸方向に移動する。図１２は、この状態を示している。これにより、ボルト４２（ハンドル４５）は、ハンドルバネ４４の弾性力によって所定の位置に戻るので、ロール状媒体Ｒの交換作業の効率を更に向上することができる。なお、ハンドルバネ４４は、保持部４ａとハンドル４５との間に備えられているものと説明したが、保持部４ａと、ボルト４２と共に移動するバネ受け部材と、の間に備えられていてもよい。
【００４５】
なお、本実施形態では、側圧機構５０及び開閉機構６０が、媒体支持部としての一対の第１ホルダー部３の一方に設けられている構成を例示したが、これに限定するものではない。側圧機構５０及び開閉機構６０は、一対の第１ホルダー部３の他方又は両方に設けられている構成であってもよい。
また、側圧機構５０及び開閉機構６０が、給送部２６の第１ホルダー部３に設けられている構成を例示したが、側圧機構５０及び開閉機構６０は、巻取部３７の第２ホルダー部４０に設けられている構成であってもよい。
また、嵌合バネ４７、アームバネ５６、ハンドルバネ４４は、弾性部材としてコイルバネを用いるものと説明したが、これに限定するものではない。嵌合バネ４７、アームバネ５６、ハンドルバネ４４は、例えば、弾性変形するゴムなどにより構成させてもよい。
【００４６】
以上述べたように、本実施形態に係る印刷装置１によれば、以下の効果を得ることができる。
印刷装置１の媒体支持部としての第１ホルダー部３は、割りナット部５４と、割りナット部５４を開閉させる開閉機構６０と、を備えている。開閉機構６０は、一対の第１ホルダー部３に保持されているロール状媒体Ｒへの側圧が解除された際に、割りナット部５４を開状態にさせるので、割りナット部５４とボルト４２の雄ねじ部４３との螺合が解消される。これにより、ボルト４２及び割りナット部５４を介して基台４に固定されていたハンドル４５は、基台４に対してＸ軸方向に沿って自由に移動可能となる。ユーザーは、ハンドル４５を回動することなく所定の位置（ロール状媒体Ｒを取り付けるための初期位置）に戻すことが可能になるので、ロール状媒体Ｒの交換作業の効率を向上することができる。したがって、ロール状媒体Ｒを交換する際の作業効率を向上させた印刷装置１を提供することができる。
【００４７】
第１ホルダー部３は、割りナット部５４とボルト４２の雄ねじ部４３との螺合が解消された時に、ハンドル４５を所定の位置に戻す弾性部材としてのハンドルバネ４４を備えている。ロール状媒体Ｒに側圧を加える際に圧縮されたハンドルバネ４４は、割りナット部５４とボルト４２の雄ねじ部４３との螺合が解消された時に伸長して、ボルト４２と共にハンドル４５を保持部４ａに対して−Ｘ軸方向に移動させる。これにより、ハンドル４５は、ハンドルバネ４４の弾性力によって所定の位置に戻るので、ロール状媒体Ｒの交換作業の効率を、更に向上することができる。
【００４８】
開閉機構６０は、割りナット部５４に接続され割りナット部５４を開閉させる開閉コロ５２ａ，５２ｂと、開閉コロ５２ａ，５２ｂと係合しＸ軸方向に移動することで開閉コロ５２ａ，５２ｂを開閉させるアーム５１と、アーム５１をＸ軸方向に移動させる弾性部材としてのアームバネ５６と、を有している。アームバネ５６は、一対の第１ホルダー部３に保持されているロール状媒体Ｒへの側圧が解除された際に、アーム５１を基台４に対して−Ｘ軸方向に相対移動させる。これにより、開閉コロ５２ａ，５２ｂが、アーム５１に形成されたＹ字形状の貫通溝５３に沿ってＹ字に閉じた側（＋Ｘ軸側）からＹ字に開いた側（−Ｘ軸側）に移動することで開閉コロ５２ａ，５２ｂ及び割りナット部５４が開状態になり、割りナット部５４とボルト４２の雄ねじ部４３との螺合を解消させることができる。
【００４９】
なお、本発明は上述した実施形態に限定されず、上述した実施形態に種々の変更や改良などを加えることが可能である。変形例を以下に述べる。
【００５０】
（変形例）
図１３は、変形例に係る割りナット部を拡大して示す側面図である。
上記実施形態では、開閉機構６０は、割りナット部５４に接続され割りナット部５４を開閉させる開閉コロ５２ａ，５２ｂと、開閉コロ５２ａ，５２ｂと係合し軸方向（Ｘ軸方向）に移動することで開閉コロ５２ａ，５２ｂを開閉させるアーム５１と、を有しているものと説明したが、この構成に限定するものではない。
以下、変形例に係る印刷装置１について説明する。なお、実施形態と同一の構成部位については、同一の番号を附し、重複する説明は省略する。
【００５１】
図１３に示すように、第１ホルダー部１０３は、基台４に設けられ２つに分割可能な割りナット部１５４を備えている。割りナット部１５４は、先端同士が噛み合う一対のステー１５４ａ，１５４ｂが固定軸５５で結合され、先端部が開閉できる構造をしており、各々のステー１５４ａ，１５４ｂの先端側（−Ｚ軸側）に２分割されたナット片１５４ｃ，１５４ｄが設けられている。一対のステー１５４ａ，１５４ｂの他端は、割りナット部１５４が閉状態において閉じられている。
【００５２】
第１ホルダー部１０３は、割りナット部１５４を開閉させる開閉機構１６０を備えている。さらに、開閉機構１６０は、割りナット部１５４を閉状態に保つ弾性部材としてのコイルバネ（以下、割りナットバネ１５８という）と、割りナット部１５４を開状態にさせるボタン１５７と、を有している。割りナットバネ１５８の一端は、ステー１５４ａの先端に接続され、割りナットバネ１５８の他端は、ステー１５４ｂの先端に接続されている。ボタン１５７は、−Ｘ軸方向からの側面視にて−Ｚ軸側に先端を有する楔形状をなし、楔形状の先端を下（−Ｚ軸側）にして一対のステー１５４ａ，１５４ｂの間の上方（＋Ｚ軸側）に位置し、Ｚ軸方向に移動可能に設けられている。
【００５３】
ユーザーが、ボタン１５７を−Ｚ軸方向に押すことで、一対のステー１５４ａ，１５４ｂの他端がボタン１５７の楔形状に沿って開らかれ、割りナット部１５４が開状態になる。これにより、割りナット部１５４とボルト４２の雄ねじ部４３との螺合が解消されるので、ハンドル４５は、基台４に対してＸ軸方向に沿って自由に移動可能となる。ユーザーはハンドル４５を回動することなく所定の位置（ロール状媒体Ｒを取り付けるための初期位置）に戻すことが可能となるので、ロール状媒体Ｒの交換作業の効率が向上される。なお、ユーザーがボタン１５７から手を離すと、伸長された割りナットバネ１５８の収縮により、割りナット部１５４が閉状態になり、ボタン１５７は元の位置に戻る。本変形例の開閉機構１６０は、ボタン１５７と割りナットバネ１５８との少ない部品で構成できるので、割りナット部１５４を開閉させる開閉機構を低いコストで実現することができる。
【００５４】
なお、割りナットバネ１５８は、弾性部材としてコイルバネを用いるものと説明したが、これに限定するものではない。割りナットバネ１５８は、例えば、弾性変形するゴムなどにより構成させてもよい。
【符号の説明】
【００５５】
１…印刷装置、２…媒体昇降部、３，１０３…第１ホルダー部、４…基台、４ａ，２４，３５…保持部、５…仮置き台、６…操作レバー、７，３９…ガイドレール、７ａ…第１管部材、７ｂ…第２管部材、８…基体部、１１…ロール芯、１２…芯口、１３…嵌合部、１５…キャスター、１６…昇降部、１７…脚部、１９…記録部筐体、２１…キャリッジガイド軸、２３…キャリッジ、２５…記録ヘッド、２６…給送部、２７…媒体支持部、２８…記録部、２９…ローラー対、３１…プレヒーター、３３…アフターヒーター、３６…摘み部、３７…巻取部、３９ａ…第３管部材、３９ｂ…第４管部材、４０…第２ホルダー部、４１…主軸、４２…ボルト、４３…雄ねじ部、４４…ハンドルバネ、４５…ハンドル、４６…バネ受け部材、４７…嵌合バネ、５０…側圧機構、５１…アーム、５１ａ…柱部、５１ｂ…梁部、５１ｃ…延出部、５２ａ，５２ｂ…開閉コロ、５３…貫通溝、５４，１５４…割りナット部、５５…固定軸、５６…アームバネ、６０，１６０…開閉機構、１５７…ボタン、１５８…割りナットバネ、Ｒ…ロール状媒体、Ｓ…記録媒体。
【図１】
0006627480.tif 000002
【図２】
0006627480.tif 000003
【図３】
0006627480.tif 000004
【図４】
0006627480.tif 000005
【図５】
0006627480.tif 000006
【図６】
0006627480.tif 000007
【図７】
0006627480.tif 000008
【図８】
0006627480.tif 000009
【図９】
0006627480.tif 000010
【図１０】
0006627480.tif 000011
【図１１】
0006627480.tif 000012
【図１２】
0006627480.tif 000013
【図１３】
0006627480.tif 000014